(57)【要約】おむつ及び失禁ガードのような吸収性物品であって、そこでは液体不透過性背面シート（３）の内側に、すなわち吸収体に隣接した側に、背面シート材料を通して見ることのできるある模様の湿りインジケータ（９）が配置されている。湿りインジケータ（９）は背面シート材料（３）の残りとは異なる色または色相を持つ少なくとも一つのストリップ（１０）上にまたはそれに隣接して適用される。ストリップ（１０）の色または色相はまた物品の製品形式、寸法、吸収能力または同様物の表示であることができる。更にストリップ（１０）上に製品形式または同様物を示す記号（１１）、コードまたは同様物が印刷されることができる。【選択図】図１
2004503297.tif 000002
【特許請求の範囲】
【請求項１】
液体透過性上面シート（２）、液体不透過性背面シート（３）及びそれらの間に収容された吸収体（４）を含むおむつ及び失禁ガードのような吸収性物品であって、液体不透過性背面シート（３）の内側に、すなわち吸収体に隣接した側に、背面シート材料を通して見ることのできるある模様の湿りインジケータ（９）が配置されているものにおいて、
湿りインジケータ（９）が背面シート材料（３）の残りと異なる色または色相を持つ少なくとも一つのストリップ（１０）上にまたはそれに隣接して適用されていることを特徴とする吸収性物品。
【請求項２】
ストリップ（１０）が背面シート材料（３）とは別個のものであり、その内側に固定されていることを特徴とする請求項１に記載の吸収性物品。
【請求項３】
ストリップ（１０）が背面シート材料の残りとは別の色または色相で着色された背面シート材料（３）の一部であることを特徴とする請求項１に記載の吸収性物品。
【請求項４】
ストリップ（１０）の色または色相が物品の製品形式、寸法、吸収能力または同様物の表示であることを特徴とする請求項１から３のいずれかに記載の吸収性物品。
【請求項５】
ストリップ（１０）が物品の長さの全体またはその少なくとも本質的部分に渡って物品の縦方向に延びることを特徴とする請求項１から４のいずれかに記載の吸収性物品。
【請求項６】
ストリップ（１０）が物品の横断方向に延び、物品の折りたたまれた包装位置の折りたたみ線を形成することを意図した物品の部分に適用されていることを特徴とする請求項１から４のいずれかに記載の吸収性物品。
【請求項７】
ストリップ（１０）の幅が１と８ｃｍの間、好ましくは２と７ｃｍの間、より好ましくは３と６ｃｍの間であることを特徴とする請求項１から６のいずれかに記載の吸収性物品。
【請求項８】
ストリップ（１０）上にまたはそれに隣接して更に物品の製品形式、寸法、吸収能力または同様物を表示する記号（１１）、コードまたは同様物が印刷されていることを特徴とする請求項１から７のいずれかに記載の吸収性物品。
【発明の詳細な説明】
【０００１】
技術分野
本発明は液体透過性上面シート、液体不透過性背面シート及びそれらの間に収容された吸収体を含むおむつまたは失禁ガードのような吸収性物品に関し、そこでは液体不透過性背面シートの内側に、すなわち吸収体に隣接した側に、背面シート材料を通して見ることのできるある模様の湿りインジケータが配置されている。
【０００２】
発明の背景
特におむつ及び成人失禁者のための失禁ガード上の湿りインジケータはここ数年間で公知であり、看護スタッフに対しておむつまたは失禁ガードが交換される必要があるかどうかを決定することを容易とする。例えばおむつの背面シート材料の内側にインクビーム技術により水溶性染料の模様を印刷することはＥＰ−Ａ−０２１１５２４により既知である。染料はこれに代えて尿と接触させられたとき色または色相を変える形式のものであることができる。印刷された模様はまた品質または他の製造管理のための記号またはコードからなることができる。
【０００３】
更におむつの吸収体をその背面側がタイトな紙状構造を取るように処理すること、それが次いでおむつの背面側材料を通して見ることのできる模様で適用される湿り表示染料のための受け表面として用いられることがＥＰ−Ａ−０２０３７１５により既知である。
【０００４】
また毛管湿りインジケータを設けること、すなわち吸収体に連続して配置された高い毛管効果を持つ細いストリップまたは糸を液体と接触させたときに色または色相を失うまたは変えるインジケータと接触させることも既知である。かかる湿りインジケータは例えばＵＳ−Ａ−４７３８６７４及びＧＢ−Ａ−２３２７３５４により既知である。
【０００５】
湿りインジケータは吸収体の側方に沿ってまたはその下側のような種々の位置に配置されることができる。従って看護婦にとって物品が交換される必要があるか否かが分かるようにそれを読み取るために湿りインジケータを物品上に位置させることは困難である。
【０００６】
ＷＯ　９９／１６４０１は背面シート材料の内側に湿りインジケータを持つおむつを開示する。この背面シート材料は繊維不織布材料と高分子シートのラミネートである。複数の半透明な窓が前記背面シートに配置され、それを通して湿りインジケータを見ることができる。
【０００７】
ＵＳ−Ａ−４２３１３７０は半透明背面シート材料の内側にある模様で適用された被覆の形の湿りインジケータを持つおむつを開示する。
【０００８】
ＦＲ−Ａ−２７１１３１７は尿により湿ったとき色を変える内方部と半透明プラスチック材料である外方部を含む湿りインジケータを開示する。
【０００９】
ＥＰ−Ａ−０９２５７６９は吸収性芯の湿りを観察することのできる透明帯域を持つ背面シートを持つおむつを開示する。
【００１０】
発明の目的及び最も重要な特徴
本発明の目的は看護婦に対し物品上の湿りインジケータの位置を識別するのを容易とすること及びそれによりその読み取りを容易とすることにある。これは湿りインジケータを背面シート材料の残りと異なる色または色相を持つ少なくとも一つのストリップ上にまたはそれに隣接して適用することにより解決された。
【００１１】
一実施例によればストリップは背面シート材料とは別個であり、その内側に適用される。
【００１２】
別の実施例によればストリップは背面シート材料の残りとは別の色または色相に着色された背面シート材料の一部である。
【００１３】
この発明の好適実施例によればストリップの色または色相は物品の形式、寸法、吸収能力または同様物の表示である。
【００１４】
一実施例によればストリップは物品の全体に渡ってまたは少なくともその実質的な部分に渡って物品の縦方向に延びる。
【００１５】
別の実施例によればストリップは物品の横断方向に延び、物品の折りたたまれた包装位置で折りたたみを形成することを意図した物品の部分に対向して適用される。
【００１６】
ストリップの幅は１と８ｃｍの間、好ましくは２と７ｃｍの間、より好ましくは３と６ｃｍの間にあるべきである。
【００１７】
ストリップ上にまたはそれに隣接して更に製品の形式、寸法、吸収能力または同様物を示す記号、コードまたは同様物が印刷されることができる。
【００１８】
図面の説明
この発明が添付図面に示された幾つかの実施例に関して以下により詳細に説明されるであろう。
図１は下側から見たおむつの第一実施例の平面図である。
図２は図１の線ＩＩ−ＩＩによる断面である。
図３は背面側からみた失禁ガードの別の実施例の平面図である。
図４は折りたたまれた状態のおむつを透視図で示す。
図５は背面側からみた失禁ガードの更なる実施例の平面図である。
【００１９】
実施例の説明
図１と２におむつ１の実施例が開示されており、それは液体透過性上面シート２、液体不透過性背面シート３及びそれらの間に収容された吸収体４を含む。吸収体４は液体獲得層４ａと貯蔵層４ｂのような二つまたはそれ以上の層を含むことができる。
【００２０】
液体透過性上面シート２は不織布材料、例えば合成フィラメントのスパンボンド材料、メルトブローン材料、サーモボンデッド材料またはボンデッドカーデッド繊維ウェブであることができる。
【００２１】
液体不透過性背面シート材料３はプラスチックフィルム、液体不透過性材料で被覆された不織布材料または液体透過に抵抗する疎水性不織布材料からなることができる。背面シート材料はいわゆる通気性材料であることができ、それは水蒸気の透過を可能とするが液体の通過を防ぐ。この場合それは多孔性プラスチックフィルム、不織布材料または多孔性プラスチックフィルムと不織布材料のラミネートであることができる。
【００２２】
上面シート２と背面シート３は吸収体４より幾らか大きい平面広がりを持ち、その縁の外側に延びる。層２と３はそれらの突出部分内で、例えばのり付けまたは超音波または熱による溶接により連結される。
【００２３】
吸収体４はどのような通常の種類のものであってもよい。通例見出される吸収性材料の例はセルロースフラッフパルプ、ティッシュ層、高吸収性高分子（いわゆる超吸収剤）、吸収性発泡材料、吸収性不織布材料等である。セルロースフラッフパルプを超吸収剤と吸収体内で組合せることは普通である。また液体獲得能力、分散能力及び貯蔵能力に関して異なる特性を持つ種々の材料の層を含む吸収体を持つことも普通である。これは当業者には周知であり、従って詳細に述べられる必要がない。例えば赤ん坊用のおむつ及び失禁ガードで普通である薄い吸収体はセルロースフラッフパルプと超吸収剤の圧縮混合状のまたは層状の構造の形の液体貯蔵層４ｂと液体貯蔵層の上に配置された液体獲得層４ａとを含むことが多い。前記液体獲得層は排出された体液を迅速に獲得し、それをその下の貯蔵層４ｂにより吸収される前にそれを一時的に貯蔵する能力を持つ開放多孔性構造を持つ。
【００２４】
おむつ／失禁ガードは吸収性パンツとして着用者の胴の下方部を囲うことを意図している。それは使用時に使用者の前方に向けることを意図した前方部５と、使用時に使用者の後方に向けることを意図した後方部６と、前方部と後方部との間に位置する狭い股部７を備えており、前記股部は脚の間の着用者の股に適用されることを意図している。後方部６は一対のテープフラップ８またはフックとループ形式のような他の形式の固定手段を備えており、それらはおむつを希望のパンツ状形状に一緒に固定するのに使用されることを意図している。これに代えて固定手段は前方部に配置されることができる。脚部周りに弾性糸１２または同様物が配置されており、それらが着用者のもも周りに密封効果を提供する。
【００２５】
図３−５にタイトパンツにより所定場所に保たれることを意図した失禁ガードの例が示されている。従ってテープまたはフックとループの形の固定手段を欠いている。失禁ガードをパンツ内の所定場所に保つために恐らく背面シート材料の下側にのり付けひもまたは他の種類の摩擦増加手段が適用されることができる。
【００２６】
図面に示されかつ上述された失禁ガード及びおむつは吸収性物品の二つの例を示すのみであり本発明を決して限定するものではないことは指摘される。従って物品の形状並びにその全体設計は変更されることができる。吸収性物品はまたパンツ状おむつ、ベルト装着おむつまたは同様物であることができる。
【００２７】
背面シート材料３の内側に湿りインジケータ９が適用されており、それは好ましくは液体と接触させられたとき色または色相を失うまたは変える染料からなり、それは背面シート材料上に直接またはそれに変えて背面シート材料の内側に固定された別個のストリップ上に印刷される。
【００２８】
湿りインジケータ９は背面シート材料の残りと異なる色または色相を持つ少なくとも一つのストリップ１０上にまたはそれに隣接して適用される。ストリップ１０は背面シート材料３とは別個でその内側に固定された部分からなるか、または背面シート材料の残りとは別の色または色相に着色された背面シート材料の一部からなるかのいずれかである。ストリップ１０は一つの単一着色ストリップからなるかまたは筋状の模様または他の任意の模様からなることができる。ストリップ１０は連続ストリップであるかまたは不連続線を形成するように配置された幾つかの不連続部分からなることができるかのいずれかである。ストリップ１０はまた互いに密接して配置された二つまたはそれ以上のストリップを含むことができる。
【００２９】
図１−４に示された実施例において湿りインジケータ９はストリップ１０上に適用されているが、図５に示された実施例においてはそれは実質的に平行に延びる二つのストリップ１０間に適用されている。
【００３０】
更なる実施例によれば湿りインジケータ９はストリップ１０内に配置された開口または窓を通して見ることができる。
【００３１】
湿りインジケータ９が背面シート材料３の残りと異なる外観を持つかかるストリップ１０上にまたはそれに隣接して適用されているという事実により、湿りインジケータ９の位置の識別は容易化される。更にストリップ１０の色、色相または他の外観は製品形式、寸法、吸収能力または同様物の表示であることができる。ストリップ１０上にまたはそれに隣接して更に記号１１、コードまたは同様物が配置されることができ、それらは製品形式、寸法、吸収能力または同様物を示す。これにより看護婦にとって物品がそれらの包装から取り出され、看護ホーム等の貯蔵空間内の棚等に置かれた場合に製品の正しい形式を見つけることをより容易とする。
【００３２】
さらにストリップ１０は物品の縦方向中心の表示としての役目もすることができ、従って物品を正しく装着することがより容易となる。それは製造工程時の縦方向中心の表示としても作用することができる。
【００３３】
ストリップ１０は図１に示されるように、物品の縦方向に、好ましくは製品に沿って中央に延びることができる。またストリップ１０は図３と４に示されるように、物品の横断方向に延びることが可能である。この場合ストリップ１０は物品の折りたたまれた包装状態で折りたたみ線１１を形成することを意図した製品の部分に配置されるべきである（図４参照）。物品が二つの折りたたみ線に沿って折りたたまれる場合にはストリップ１０は各折りたたみ線１１にあるべきであり、従ってどのように物品が棚上に置かれるかによらずストリップ１０は外向きに見えるべきである。
【００３４】
ストリップ１０の幅は１と８ｃｍの間、好ましくは２と７ｃｍの間、より好ましくは３と６ｃｍの間にあるべきである。
【００３５】
この発明はもちろん説明され例示された実施例に限定されず、複数の改変が請求の範囲の範囲内で可能である。
【図面の簡単な説明】
【図１】
下側から見たおむつの第一実施例の平面図である。
【図２】
図１の線ＩＩ−ＩＩによる断面である。
【図３】
背面側からみた失禁ガードの別の実施例の平面図である。
【図４】
折りたたまれた状態のおむつを透視図で示す。
【図５】
背面側からみた失禁ガードの更なる実施例の平面図である。
【図１】
2004503297.tif 000003
【図２】
2004503297.tif 000004
【図３】
2004503297.tif 000005
【図４】
2004503297.tif 000006
【図５】
2004503297.tif 000007
【国際公開パンフレット】
2004503297.tif 000008
2004503297.tif 000009
2004503297.tif 000010
2004503297.tif 000011
2004503297.tif 000012
2004503297.tif 000013
2004503297.tif 000014
2004503297.tif 000015
2004503297.tif 000016
2004503297.tif 000017
2004503297.tif 000018
2004503297.tif 000019
2004503297.tif 000020
【国際調査報告】
2004503297.tif 000021
2004503297.tif 000022
2004503297.tif 000023